(57)【特許請求の範囲】
【請求項１】
基地局と端末との間で複数の通信手段によって通信する通信システムであって、
前記基地局は、前記端末の位置を予測し、前記予測された位置に基づいて、前記端末との間の最適な通信手段を選択し、前記選択された通信手段を前記端末に通知し、
前記端末は、
前記基地局と同等の位置予測を行い、前記端末の位置を測定し、
前記予測結果と前記測定結果との差が所定の閾値に収まる場合は、前記基地局から通知された通信手段を用いる通信システム。
【請求項２】
前記端末は、前記予測結果と前記測定結果との差が所定の閾値に収まらない場合には、予め定められた通信手段を用いる請求項１に記載の通信システム。
【請求項３】
前記基地局は、ページングによって前記通信手段を通知する請求項１又は２に記載の通信システム。
【請求項４】
前記所定の閾値には、前記複数の通信手段によって異なる値が設定されている請求項１から３のいずれか一つに記載の通信システム。
【請求項５】
前記所定の閾値は、前記基地局によって提供される請求項１から３のいずれか一つに記載の通信システム。
【請求項６】
前記端末は、ＧＰＳを用いて、前記端末の位置を測定する請求項１から５のいずれか一つに記載の通信システム。
【請求項７】
前記端末は、複数のアクセスポイントからの電波を用いて、前記端末の位置を測定する請求項１から５のいずれか一つに記載の通信システム。
【請求項８】
第１の通信手段の受信部、第１の通信手段の送信部、第２の通信手段の受信部、及び第２の通信手段の送信部を備え、当該端末の位置を予測し、かつ予測結果に基づいて、可能な場合には前記第２の通信手段を使用するよう当該端末に通知する基地局と通信を行う通信端末であって、
測位のための信号を受信する受信部と、
端末の各種機能を制御する制御部と、
前記各送信部及び前記各受信部への電源の供給を制御する電源制御部と、
前記電源制御部に制御タイミングを供給するタイマを備え、
前記制御部は、
前記基地局と同等な方法で前記端末の位置を予測し、前記端末の位置を測定し、
前記制御部による予測結果と前記測定結果との差が所定の閾値に収まる場合は、前記基地局から通知された前記第２の通信手段を用い、
前記制御部による予測結果と前記測定結果との差が所定の閾値に収まらない場合には、予め定められた前記第１の通信手段を用いるように前記第１の通信手段の受信部および送信部、前記第２の通信手段の受信部および送信部、並びに前記電源制御部を制御する通信端末。
【請求項９】
さらに、第３の通信手段の受信部、及び第３の通信手段の送信部を備える請求項８に記載の通信端末。
【請求項１０】
ＧＰＳを用いて、前記端末の位置を測定する請求項８又は９に記載の通信端末。
【請求項１１】
複数のアクセスポイントからの電波を用いて、前記端末の位置を測定する請求項８又は９に記載の通信端末。
【請求項１２】
前記各受信部のいずれかによって受信した信号を用いて、前記端末の位置を測定する請求項８から１１のいずれか一つに記載の通信端末。
【請求項１３】
基地局と端末との間で複数の通信手段によって通信する通信システムにおける端末の通信手段選択方法であって、
前記基地局は、前記端末の位置を予測し、予測結果に基づいて定められた通信手段を前記端末に通知し、
前記端末は、第１の通信手段の受信部及び送信部を含む第１の通信手段の通信部、第２の通信手段の受信部及び送信部を含む第２の通信手段の通信部、及び制御部を備え、
前記第１の通信手段の受信部によって前記基地局からの前記通信手段の通知を受信するステップと、
前記基地局と同等な方法で前記端末の位置を予測するステップと、
前記端末の位置を測定するステップと、
前記端末による予測位置と前記測定位置との差と所定の閾値とを比較するステップと、
前記比較の結果、前記予測位置と前記測定位置との差が前記閾値に収まる場合には前記基地局から通知された通信手段を使用することを決定するステップと、
前記使用すると決定された通信手段に対応する通信部の電源を投入するステップと、を備える通信手段選択方法。
【請求項１４】
前記第１の通信手段はセルラ方式であって、
前記通信手段の通知を受信するステップでは、セルラのページング情報によって、前記通信手段の通知を受信する請求項１３に記載の通信手段選択方法。
【発明の詳細な説明】
【技術分野】
【０００１】
本発明は、複数の通信手段を有するシステムにおける通信方式に関し、特に通信手段の選択方式に関する。
【背景技術】
【０００２】
セルラ通信では一般に端末が通信を行っていないときには、必要最低限の機能だけを残し、その他の部分には電源の供給を行わないことで電力消費を抑制するスリープ機構を有している。セルラ端末は、スリープ状態においてはページングと呼ばれる情報をセルラの基地局が定期的に送信するタイミングにおいてのみ受信機を起動し、通信の有無を確認することが行われている。
【０００３】
従来の端末が使用可能な無線方式を決定する方法の一つに、基地局が発信する電波を検出する方法がある。この方法は、基地局が使用している可能性のある周波数を順に探索し、通信可能な周波数を検知することで通信する基地局を決定する方法である。
【０００４】
端末位置の測位結果から基地局を決定する技術（例えば特許文献１）がある。図１６で本技術の動作説明を行う。本技術では通信要求発生時９３５に、ＧＰＳ受信装置による測位結果に基づき予め端末に保持している無線ＬＡＮエリアを記録した地図から無線ＬＡＮのエリアに位置するかどうかを検索する（９３６）。無線ＬＡＮのエリアに位置する場合、無線ＬＡＮでの通信を試みる。
【０００５】
また、基地局から無線ＬＡＮが使用できるエリアについての情報を通知し、端末は当該エリアであれば無線ＬＡＮの使用を試みる技術（例えば特許文献２）がある。図１７で本技術の動作説明を行う。本技術では基地局が各エリアに無線ＬＡＮ  ＡＰが存在するか否かの情報を通知する（９３７）。端末は、通知された情報から自分の居るエリアの情報を得、無線ＬＡＮが使用できる場合には無線ＬＡＮにハンドオーバ（９３９）し、以後、そのエリアでは無線ＬＡＮを使用して通信する（９３８）。
【特許文献１】特開２００５−８００７１公報
【特許文献２】特開２００７−４９６４５公報
【発明の開示】
【発明が解決しようとする課題】
【０００６】
ところが、基地局の電波を検知することによってその通信方式による通信可否を判断するには、その通信方式に対応した受信機に電源を投入する必要があり、スリープ状態を使用した省電力化を図る上で問題がある。
【０００７】
また、基地局がハンドオーバを指示する場合、端末の位置を把握する必要があり、そのため端末は位置情報を送信する必要があった。
【０００８】
また、端末が地図を利用して通信方式を決定する方式では、記憶容量が限られている端末に地図データを保持しなければならない問題がある。
【０００９】
更に、基地局がエリアについての情報を通知する場合、端末がその情報を受信するためにスリープ状態から受信のために起動する期間が、ページングを受けるだけの場合に比べ長くなり、消費電力が増大するという問題がある。
【課題を解決するための手段】
【００１０】
本発明の一つの特徴は、基地局が端末位置を予測し、その結果に基づいて最適な通信手段を選択し、選択された通信手段を通知すると共に、端末も自身の位置について同様の予測を行い、位置の予測結果と位置の測定結果との差が所定の閾値に収まる場合には、基地局から通知された通信手段を用い、位置の予測結果と位置の測定結果との差が所定の閾値を越える場合には、予め定められた通信手段を用いることである。
【００１１】
本発明の別の一つの特徴は、基地局が端末位置を予測し、その結果に基づいて最適な通信手段を選択し、選択された通信手段と予測結果を通知し、端末は端末位置を測定し、その測定結果と通知された予測位置の差が所定の閾値に収まる場合には、基地局から通知された通信手段を用い、位置の予測結果と位置の測定結果との差が所定の閾値を越える場合には、予め定められた通信手段を用いることである。
【発明の効果】
【００１２】
本発明によれば、複数の通信手段を起動することなく、それぞれの通信手段を用いた高速な通信開始と電力消費の抑制を両立できる。
【発明を実施するための最良の形態】
【００１３】
本発明の最良の実施形態について、以下では図を用いて説明する。
【実施例１】
【００１４】
図１１に、本実施例のシステム構成例を示す。
【００１５】
基地局３００は、広域をカバーするセルラ方式の一つ以上のアクセスポイント６００（以下、アクセスポイントを「ＡＰ」と記す）とセルラ方式に比べると狭いエリアをカバーする一つ以上のＡＰ６０１を備える。端末４００は、セルラＡＰ６００やその他の適切なＡＰ６０１及び基地局３００を経由し、通信相手４１０と通信を行う。基地局３００は、配下にあるＡＰの地理上の位置を記録したＡＰ位置データベース５００と、各ＡＰを通じて位置登録した端末の位置を記録する端末位置データベース５０１を保持する。
【００１６】
図１及び図１１を用いて、本実施例による動作例を示す。
【００１７】
端末４００は、通信をしながら移動を行い、位置１００で最後の位置登録を行った後、スリープ状態になったとする。ここでスリープ状態とは、端末からは位置登録を含めた一切の発信を行わない状態である。
【００１８】
その後、通信相手４１０が端末４００に通信を行う場合、まず端末４００のスリープ状態を解除し、適切なＡＰと接続して通信する必要がある。
【００１９】
基地局３００は、端末位置データベース５０１から端末４００の位置登録履歴を取得し、それに基づき、現時点での端末４００の位置１０１を予測する。次に、基地局３００は、ＡＰ位置データベース５００から、端末４００と通信するために最適なＡＰ６０１を取得する。基地局３００は、セルラＡＰ６００から、後述するページングパケット７０に通信手段の情報を含めて、端末４００に対して通信開始を通知する。
【００２０】
端末４００は、セルラＡＰ６００を通じて基地局３００から通信開始の通知を受け取ると、基地局３００と同じ予測手段によって、予測位置１０１を計算する。それと同時に、現在の位置１０２を測位によって求める。この予測位置の計算と現在位置の測位とは、誤差２００の許容範囲で略同時に求められればよい。
【００２１】
その後、予測位置１０１と実測位置１０２との誤差２００を求める。この誤差２００が、許容値２０１を越えている場合、基地局３００の予測が外れているので、セルラＡＰ６００を通じて通信を開始する。一方、誤差２００が許容値２０１より以下である場合、基地局３００の予測が正しいので、端末４００は通知された通信手段に基づきＡＰ６０１を通じて通信を開始する。
【００２２】
図１０にセルラＡＰ６００から送信されるページングパケット７０の構成例を示す。
【００２３】
ページングパケット７０は、ヘッダ７０００及び複数の端末情報７００１−１〜７００１−ｍを含む。端末情報７００１は、端末ＩＤ７００２及び通信手段７００３を含む。なお、端末情報７００１、端末ＩＤ７００２及び通信手段７００３は、その区別が必要ない場合には、添え字を省略して説明する。
【００２４】
ヘッダ７０００は、所定の通信プロトコルに準拠した既存のものである。端末情報７００１は、呼のある端末の情報である。端末ＩＤ７００２は、呼出される端末の識別子である。通信手段７００３は、呼び出される端末に最適な通信手段である。
【００２５】
通信手段７００３は、基地局３００が最適なＡＰとして選択したＡＰ６０１と通信するために必要な情報が含まれる。例えば、ＡＰ６０１のＩＤや種別等である。また、複数の通信手段情報を一つの端末ＩＤに対して与えてもよい。
【００２６】
図１０では、個々の端末情報７００１に、端末ＩＤ７００２と通信手段７００３とを含めた例を示しているが、端末ＩＤのリストと通信手段のリストとはパケットの別の場所にまとめて格納されてもよい。
【００２７】
図１５Ａ及び図１５Ｂに通信手段の実装例を示す。
【００２８】
図１５Ａに各通信手段７００３−１をフラグにより表す方法を示す。
【００２９】
本方式では、各フラグに通信手段を割り当てる。例えば、フラグ７００３１−１をＷｉＭＡＸ（登録商標）に、フラグ７００３１−２を無線ＬＡＮとするなどである。図１５Ａに示すフラグ方式では、複数の通信手段を同時に指定することができる。よって、フラグ方式では、各フラグに対応する方式から端末側で最適と見なした方式の順番に従い、誤差と許容値の比較を行うことによって、最適な方式での通信が可能となる。
【００３０】
一方、フラグの数に限りがあるため、あまり多くの方式を割り当てることは困難であり、拡張性に乏しい。
【００３１】
図１５Ｂに各通信手段を値により表す方法を示す。
【００３２】
本方式では通信手段フィールド７００３−２を一つの値と見なし、各値に通信手段を割り当てる方式である。例えば、値１をＷｉＭＡＸ（登録商標）、値２を無線ＬＡＮとするなどである。
【００３３】
本方式では、２をフィールドのビット数乗した数の方式を割り当てることができるため、フィールド長に比べ多くの方式を割り当てることが可能である。一方、フィールド全体で一つの通信方式を指定するため、端末に複数の選択肢を提示することはできない。
【００３４】
なお、本願発明は通信手段の実装方式に限定されないので、以下の説明では、通信手段は７００３と呼ぶ。
【００３５】
図２に端末４００の構成例を示す。
【００３６】
端末４００は、端末の制御を行う端末制御部４０６０と、測位を行うための情報を受信するための受信部Ｐ４０２１と、セルラＡＰからの電波を受信する受信部Ａ４０１１と、セルラＡＰに電波を送信する送信部Ａ４０１３、セルラ方式以外のＡＰからの電波を受信する受信部Ｂ４０５１、セルラ方式以外のＡＰに電波を送信する送信部Ｂ４０５２、各部の電源を制御する電源制御部４０４１、及び、各種タイミングを通知するタイマ４０４２を備える。
【００３７】
ここで、受信部Ｂ４０５１及び送信部Ｂ４０５２をまとめて、通信部Ｂ４０５０と呼ぶ。また、複数の通信部Ｂが備わってもよい。
【００３８】
端末４００は一般に電池など有限の電源リソースにより動作するため、通信が不要な時には、使用されない部位の電源を遮断することによって消費電力を抑える。その一方で、通信相手４１０からの通信を可能とするため、あるタイミングで通信を必要としているかどうかの調査が必要となる。本発明では、セルラシステムが有する機能である、セルラＡＰ６００が定期的に送信するページングパケットによって、端末４００への通信が求められているかを確認する。
【００３９】
図２及び図３を用いて、端末４００のスリープ時の動作の詳細について説明する。なお、図２において、実線はデータの流れを示し、点線は電源制御信号の流れを示す。
【００４０】
スリープ時において、端末４００はタイマ４０４２と電源制御部４０４１を除き電源を遮断することによって、消費電力を抑える。
【００４１】
タイマ４０４２は、セルラＡＰ６００がページングパケットを送信するタイミングに合わせ、電源制御部４０４１を通じて端末制御部４０６０を起動する。
【００４２】
端末制御部４０６０は、タイマ４０４２からの通知によって、図３に示すフローチャート７００に従い、通信の有無を確認する。
【００４３】
タイマ通知／通信方式判断起動処理７００によれば、まず処理７０１において、受信部Ａ４０１１に通電し、受信部Ａ４０１１を起動する。
【００４４】
次に、処理７０２において、ページングチェッカ４０６１を呼び出し、ページングの受信と通信要求の有無を確認する。
【００４５】
判断７０３で、ページングチェッカの結果を確認し、自局宛の通信要求が受信できない場合、処理７０４にて受信部Ａ４０１１への給電を停止し、処理７０５にて端末制御部４０６０自身も電源を停止しスリープ状態になる。
【００４６】
一方、ページングに自局宛の通信要求が含まれていた場合、判断７０３から判断７０６に移る。判断７０６では、通信手段７００３でセルラ方式での通信が指示されている場合には、セルラ方式で通信を開始するために、処理７０７で送信部Ａ４０１３を起動した後、処理７０８にて通信を行うプログラムやアプリケーションプログラムを呼び出し、通常処理に移行する。
【００４７】
一方、セルラ方式以外の通信手段が通知された場合、処理７１０で位置予測プログラム４０６２を呼び出し、予測位置１０１を取得し、処理７１１で自局位置の実測位置１０２を取得する。その後、判断７１２で、誤差２００と許容値２０１とを比較する（図１参照）。その結果、誤差２００が許容値２０１より小さいと判断された場合は、セルラ方式以外の方式で通信を開始するために、処理７１３でセルラ方式の受信部Ａ４０１１を停止し、通信部Ｂ４０５０を起動した後、処理７０８にて通信を行うプログラムやアプリケーションプログラムを呼び出し、通常処理に移行する。
【００４８】
また、判断７１２で誤差２００が許容値２０１より大きいと判断された場合、セルラ方式での通信を行うため処理７０７で送信部Ａ４０１３を起動し、処理７０８の後、通常通信処理に移行する。
【００４９】
図４を用いて、ページングチェッカ４０６１の動作を説明する。
【００５０】
ページングチェッカ４０６１は呼び出されると、処理７０２１にて受信部Ａ４０１１がパケットを受信するのを待つ。
【００５１】
次に、判断７０２２で受信したパケットがページングパケットか否かを判断する。その結果、受信したパケットがページングパケットではない場合、処理７０２１に戻る。
【００５２】
受信したパケットがページングパケットである場合、受信したパケットを処理７０２３で解析し、自端末宛の情報の有無と、通信手段情報７００３を抽出する。
【００５３】
処理７０２４にて、呼び出し元の処理７０２に結果を返す。
【００５４】
図１２を用いて、第２の通信手段を用いて通信を開始するまでの各部の動作を説明する。
【００５５】
タイミング９０１で、通信相手４１０が端末４００に向け通信を開始する。
【００５６】
通信相手４１０は、ネットワークのプロトコルに従い、通信要求９２１を基地局３００に通知する。
【００５７】
基地局３００は、端末４００の位置を予測し（９０２）、ＡＰ位置データベース５００の情報を参照して、通信に用いるＡＰ６０１を決定する（９０３）。
【００５８】
基地局３００は、セルラＡＰ６００に向けて、端末４００へ発呼９２２する。セルラＡＰ６００は、端末４００への発呼を、ページングパケット７０に端末４００の端末ＩＤ７００２及び通信手段７００３を含ませて、ページング９２４を発信する。
【００５９】
端末制御部４０６０が起動（９０４）すると、起動指令９２３によって受信部Ａ４０１１を起動する（９０５）。
【００６０】
受信部Ａ４０１１がページング９２４を受信すると、ページングパケット９２５はページングチェッカ９０６によって処理され、基地局と同じ位置予測を行う（９０７）。
【００６１】
また、測位結果の誤差を判定する（９０８）。
【００６２】
ここで、第２の通信手段を用いると仮定したので、受信部Ａに対して停止指令９２６を出し、第２の通信部Ｂ４０５０に起動指令９２７Ｂを送る。
【００６３】
その後、通信部Ｂ４０５０を通じて、基地局３００に対して端末を登録し９２８Ｂ、９２９Ｂ、９３０Ｂ、通信を開始する（９３１Ｂ）。
【００６４】
基地局が適切なＡＰを指示することによって、電力消費の大きなセルラ方式での送信を行わずに最適な通信手段を用いて通信を開始することが可能となる。これによって、電力消費を抑制すると共に、最適な通信手段の高速な起動が可能となる。
【００６５】
次に、図１３を用いてセルラ方式を用いて通信を開始する場合の相互関係を説明する。処理９０８までは図１２と同一のため、説明を省略する。
【００６６】
処理９０８でセルラ方式を用いて通信することを決定した場合、送信部Ａ４０１３を起動し、セルラ方式を用いて端末を登録する（９２８Ａ、９２９Ａ、９３０Ａ）。
【００６７】
その後、セルラ方式を用いて通信が行われる（９３１Ａ）。
【００６８】
ここで、通信部Ｂ４０５０の電源が投入されることなく、通信方式が決定されるため、指定されたＡＰ６０１からの距離が離れている場合でも、ＡＰ６０１での通信確立の失敗からセルラ通信部による再登録動作までの時間及び電力消費を抑えることが可能である。
【００６９】
図５を用いて、端末位置の実測処理の例について説明する。
【００７０】
タイマ４０４２により、予め決められたタイミングで端末制御部４０６０が起動し、位置実測プログラム４０６３が起動される。位置実測プログラム４０６３は、フローチャート７２０に従い、端末位置を測定する。
【００７１】
処理７２１で端末制御部は受信部Ｐ４０２１を起動する。
【００７２】
受信部Ｐ４０２１が、例えば、ＧＰＳ受信機を備えていれば、ＧＰＳからの電波を受信することができ、受信したＧＰＳ信号に基づき、処理７２２で測位計算を行うことで、端末位置１０２を取得する。
【００７３】
処理７２３で、端末位置１０２は端末制御部４０６０に備わる、図示されていない記憶領域に記憶され、タイマ通知／通信方式判断起動処理７００の処理７１１で利用される。
【００７４】
処理終了後、処理７２４で端末制御部４０６０自身の電源を停止し、端末４００はスリープ状態になる。
【００７５】
位置実測プログラムを定期的に起動することによって、ＧＰＳ衛星からの信号を継続的に捕捉可能にする。
【００７６】
ＧＰＳによる測位ではなく、ページングパケットの受信時に複数のＡＰからの電波が受信できる場合、３点測量を用いて自端末の位置を特定してもよい。また、地面や壁などにマーカを埋め込み、そのマーカから発信される情報を受信することによって自端末の位置を特定してもよい。
【００７７】
基地局と端末で行う位置予測方法としては、例えば、スリープ状態以前の位置登録情報から、端末の移動方向と速度を直線的に近似する方法がある。また、ナビゲーションシステム等が利用できる端末の場合は、道路や鉄道などに沿って移動するとして現在位置を予測する方法もある。
【００７８】
さらに、移動速度に応じて、予測方式を変更することも考えられる。例えば、移動速度が小さい場合、歩き回っていると判断し、ほぼ同じエリアにいると仮定する。一方、移動速度が大きい場合、車又は鉄道による移動と判断し、直線近似や地図を用いた予測を用いることができる。
【００７９】
さらに、将来、精度が高い予測方式が得られたときに備え、端末の位置の予測方法を基地局から変更できるようにするとよい。
【実施例２】
【００８０】
次に、第２の実施例を説明する。
【００８１】
図６に端末４００の第二の構成例を示す。
【００８２】
第２の実施例では、制御を分散することによって細やかな電源制御を可能としている。なお、図６において、実線はデータの流れを示し、点線は電源制御信号の流れを示す。
【００８３】
端末４００は、電源を個別に制御できる複数のドメインから構成される。ドメインはセルラ方式の電波を受信するセルラ受信ドメイン４０１０、セルラ方式の電波を発信する送信部ａ  ４０１３、セルラ方式以外のＡＰと通信するための第２通信ドメイン４０５０、位置予測部４０３１、通信方式判断部４０３２、端末制御部４０６０、測位を行う測位ドメイン４０２０から構成される。また、電源を制御する電源制御部４０４１、各種タイミングを計るタイマ４０４２、測位ドメインでの結果を保持する測位結果４０２４を有す。
【００８４】
セルラ受信ドメイン４０１０は、セルラ方式の電波を受信する受信部Ａ４０１１とページングチェック部４０１２とを備える。
【００８５】
第２通信ドメイン４０５０は、受信部Ｂ４０５１と送信部４０５２とを備える。
【００８６】
測位ドメイン４０２０は、測位のための電波を受信する受信部Ｐ４０２１と受信した信号から位置を測定する位置実測部４０２３とを備える。
【００８７】
タイマ４０４２は、セルラＡＰ６００がページング信号を送信するタイミングを電源制御部４０４１に通知する。
【００８８】
電源制御部４０４１は、タイマ４０４２からのタイミング信号に合わせて通信方式判断部４０３２を起動する。
【００８９】
図７を用いて通信方式判断部４０３２の動作を説明する。
【００９０】
処理８０１において、通信方式判断部４０３２はセルラ受信ドメイン４０１０を起動し、ページングチェック部４０１２からの情報を待つ。
【００９１】
次に、判断８０２において、ページングチェック部４０１２の判断結果を受信すると、、ページング信号に自局宛の情報が含まれているか否かを判定する。そして、ページング信号に自局宛の情報が含まれていれば判断８０５に、そうでなければ処理８０３に進む。
【００９２】
処理８０３で、セルラ受信ドメイン４０１０及び判断部４０３２自身の電源を停止することによって、スリープ状態に戻る（８０４）。
【００９３】
判断８０５で基地局から指示された方式がセルラ方式か否かを判定する。その結果、セルラ方式での通信が指示されている場合には処理８０６へ進み、セルラ方式以外の通信が指示されている場合には処理８１０に進む。
【００９４】
処理８１０では、位置予測部４０３１を起動し予測位置１０１を求める。処理８１１で測位結果４０２４を取得し、誤差２００を求める。
【００９５】
その後、判断８１２で、誤差２００と許容値２０１を比較する（図１参照）。その結果、誤差２００が許容値２０１より小さいと判断された場合は、セルラ方式以外の方式で通信を開始するために、処理８１３に進む。一方、判断８１２で誤差２００が許容値２０１より大きいと判断された場合には処理８０６に進む。
【００９６】
処理８１３では、セルラ受信ドメイン４０１０を停止し、電源消費量を抑え、処理８１４で、基地局３００から指定された通信手段に対応する通信ドメイン４０５０を起動し、処理８０７へ進む。
【００９７】
処理８０６では、セルラ方式を用いて通信するため、送信部Ａ４０１３を起動し、処理８０７へ進む。
【００９８】
処理８０７では、通信のために端末制御部４０６０を起動し、処理８０８で位置予測部４０３１と通信方式判断部４０３２を停止し、端末制御部４０６０による制御によって通常通信状態に移行する（８０９）。
【００９９】
図８を用いて、セルラ受信ドメイン起動処理８０１０によるページングチェック部４０１２の動作を説明する。
【０１００】
セルラ受信ドメイン４０１０への電源投入と同時にページングチェック部４０１２が起動する。
【０１０１】
処理８０１１で、受信部Ａ４０１１がパケットを受信をするのを待ち、判断８０１２で受信したパケットがページングパケットであるか否かを判断する。
【０１０２】
その結果、受信したパケットがページングパケットではない場合、処理８０１１に戻る。
【０１０３】
一方、受信したパケットがページングパケットである場合、受信したパケットを処理８０１３で解析し、自端末宛の情報の有無と、通信手段情報７００３を抽出する。
【０１０４】
処理８０１４で、呼び出し元の処理８０１に解析結果を返す。
【０１０５】
図９を用いて、端末位置の実測処理８０２０の例について説明する。
【０１０６】
タイマ４０４２により、予め決められたタイミングで測位ドメイン４０２０が起動し、端末の測位が開始される。位置実測部４０２３はフローチャート８０２０に従い、端末位置を測定する。
【０１０７】
処理８０２１で、受信部Ｐ４０２１からの情報に基づき端末位置１０２を取得する。例えば、ＧＰＳ衛星からの電波を受信することによって端末位置１０２を取得する。
【０１０８】
処理８０２２で、取得された端末位置１０２は測位結果４０２４に記録される。測位結果４０２４は、メモリ等の記憶領域である。
【０１０９】
以上の処理の終了後、処理８０２３で測位ドメインの電源を停止する。
【実施例３】
【０１１０】
図１８、図１９、図２２、図２３、図２４を用いて第３の実施例を示す。
【０１１１】
本実施例では、端末４００が自ら位置予測するのではなく、ページングパケットに格納された基地局３００での位置予測を受信し、この位置予測と実測値を比較する。
【０１１２】
図１８は実施例１における図２に相当する図面である。実施例１で用いた位置予測手段４０６２が不要となる。
【０１１３】
図１９は実施例１における図３に相当する図面である。基地局３００はページングパケット７０に通信手段だけでなく予測位置の情報を含めて端末４００に対して通信開始を通知する。
【０１１４】
図２２は実施例１、２における図１０に相当する図面である。実施例１、２で用いたページングパケットにさらに予測位置を格納するフィールド７００４−ｍが追加されている。
【０１１５】
図２３、図２４はそれぞれ実施例１における図１２、図１３に相当する図面である。実施例１ではステップ９０７で基地局と同じ位置予測を行っていたが、その処理が不要となる。
【０１１６】
その他の構成は第１の実施例と同様である。
【０１１７】
本実施例の構成により、端末が自ら位置予測をする必要がなくなり、端末の負荷を軽くしながら第１の実施例と同様の効果を奏することができる。
【実施例４】
【０１１８】
図２０、図２１、図１０を用いて第４の実施例を示す。
【０１１９】
本実施例では第２の実施例の構成において、端末４００が位置予測を第３の実施例と同様の方法で取得する実施例である。
【０１２０】
図２０は実施例２における図６に相当する図面である。実施例２で用いた位置予測部４０３１が不要となる。
【０１２１】
図２１は実施例２における図７に相当する図面である。処理８１０においてページングパケットから予測位置１０１を取り出す。
【０１２２】
本実施例で用いるページングパケットは図１０と同様である。
【０１２３】
その他の構成は第２の実施例と同様である。
【０１２４】
本実施例の構成により、端末が自ら位置予測をする必要がなくなり、端末の負荷を軽くしながら第２の実施例と同様の効果を奏することができる。
【図面の簡単な説明】
【０１２５】
【図１】本発明の実施例の動作概念図である。
【図２】本発明の実施例１の端末構成を示すブロック図である。
【図３】本発明の実施例１の端末制御のフローチャートである。
【図４】本発明の実施例１のページングチェッカのフロー図である。
【図５】本発明の実施例１の位置実測のフローチャートである。
【図６】本発明の実施例２の端末構成を示すブロック図である。
【図７】本発明の実施例２の端末制御のフローチャートである。
【図８】本発明の実施例２のページングチェッカのフローチャートである。
【図９】本発明の実施例２の位置実測のフローチャートである。
【図１０】本発明の実施例１、２のページングパケットの構成例図である。
【図１１】本発明の実施例の本発明のシステム構成例を示す図である。
【図１２】本発明の実施例１の第２の通信部を用いた通信時の相互関係を示す図である。
【図１３】本発明の実施例１のセルラ方式を用いた通信時の相互関係を示す図である。
【図１４】本発明の実施例１の位置実測時の相互関係を示す図である。
【図１５Ａ】本発明の実施例の通信方式フィールドの構成例を示す図である。
【図１５Ｂ】本発明の実施例の通信方式フィールドの構成例を示す図である。
【図１６】従来技術による通信方式選択方式を示す図である。
【図１７】従来技術による通信方式選択方式を示す図である。
【図１８】本発明の実施例３の端末構成を示すブロック図である。
【図１９】本発明の実施例３の端末制御のフローチャートである。
【図２０】本発明の実施例４の端末構成を示すブロック図である。
【図２１】本発明の実施例４の端末制御のフローチャートである。
【図２２】本発明の実施例３、４のページングパケットの構成例図である。
【図２３】本発明の実施例３の第２の通信部を用いた通信時の相互関係を示す図である。
【図２４】本発明の実施例３のセルラ方式を用いた通信時の相互関係を示す図である。
【符号の説明】
【０１２６】
１００…最後の位置登録ポイント
１０１…予測位置
１０２…実測位置
２００…誤差
２０１…閾値
３００…統合基地局
４００…端末
４１０…通信相手
５００…アクセスポイント位置データベース
５０１…端末位置登録データベース
６００…第１の通信方式のアクセスポイント
６０１…第２の通信方式のアクセスポイント
４０１１…第１の通信方式の受信機
４０１３…第１の通信方式の送信機
４０２１…測位に用いる受信機
４０４１…電源制御部
４０４２…タイマ
４０５１…第２の通信方式の受信機
４０５２…第２の通信方式の送信機
４０６０…端末制御部
【図１】
0004560533.tif 000002
【図２】
0004560533.tif 000003
【図３】
0004560533.tif 000004
【図４】
0004560533.tif 000005
【図５】
0004560533.tif 000006
【図６】
0004560533.tif 000007
【図７】
0004560533.tif 000008
【図８】
0004560533.tif 000009
【図９】
0004560533.tif 000010
【図１０】
0004560533.tif 000011
【図１１】
0004560533.tif 000012
【図１２】
0004560533.tif 000013
【図１３】
0004560533.tif 000014
【図１４】
0004560533.tif 000015
【図１５Ａ】
0004560533.tif 000016
【図１５Ｂ】
0004560533.tif 000017
【図１６】
0004560533.tif 000018
【図１７】
0004560533.tif 000019
【図１８】
0004560533.tif 000020
【図１９】
0004560533.tif 000021
【図２０】
0004560533.tif 000022
【図２１】
0004560533.tif 000023
【図２２】
0004560533.tif 000024
【図２３】
0004560533.tif 000025
【図２４】
0004560533.tif 000026